(57)【要約】      （修正有）【課題】郵便受け箱を開錠する際に、摘まみを指で押すだけで開錠できる郵便受け箱用ダイヤルプッシュ錠前を提供する。【解決手段】錠前部４１はダイヤル操作部４４と、前部ホルダー４５ａと後部ホルダー４５ｂと、一端部４７ａに施錠用ピン４６を備える係止棒４７からなる。施錠機構部５１に係止棒４７を錠前受け部４２から押出す押出バネ５６と、施錠時に係止棒４７を施錠用ピン４６を介して施錠するロックカム５３を備える。ロックカム５３の一端部５３ａに施錠用ピン４６と係合するフック５４を備え、他端部５３ｂにロックカム５３の回転用の回転軸５２を備え、ロックカム５３は回転軸５２の周りに設けられるロックバネ５５によりフック５４が施錠用ピン４６を施錠する方向に回転付勢される。フック５４の施錠用ピン４６と係合する領域５４ａにこの領域５４ａから回転軸５２方向に立上がる斜板５４ｂを備える。【選択図】  図１
2007032261.tif 000002
【特許請求の範囲】
【請求項１】
錠前部と錠前受け部からなる郵便受け箱用ダイヤルプッシュ錠前であって、  前記錠前部は略円柱形状の摘まみを備えるダイヤル操作部と、小径筒状の前部ホルダーと大径筒状の後部ホルダーからなるホルダーと、一端部に施錠用ピンを備える係止棒とからなり、
前記後部ホルダーにダイヤル操作部をスライド自在に挿入して前記係止棒の一端部が前記前部ホルダーの前壁からスライド自在に突出して設けられ、
前記錠前受け部は前記前部ホルダーを挿入するソケット部と施錠機構部とからなり、
前記施錠機構部に、開錠時に前記係止棒を前記錠前受け部から押出す押出バネと、施錠時に前記係止棒を前記施錠用ピンを介して施錠するロックカムが配置され、前記ロックカムの一端部に前記施錠用ピンと係合するフックを備えるとともに他端部に前記ロックカムの回転用の回転軸を備え、前記ロックカムは前記回転軸の周りに設けられるロックバネにより前記フックが前記施錠用ピンを施錠する方向に回転付勢され、
前記フックの前記施錠用ピンと係合する領域にこの領域から前記回転軸方向に立上がる斜板を備え、
開錠時に前記ダイヤル操作部を押込み前記施錠用ピンが前記回転軸方向に移動すると前記施錠用ピンが前記ロックバネの回転付勢により前記斜板の下面に廻り込み、前記押出バネによって前記施錠用ピンが前記斜板を乗越えて押出されて開錠されることを特徴とする郵便受け箱用ダイヤルプッシュ錠前。
【請求項２】
請求項１に記載の郵便受け箱用ダイヤルプッシュ錠前であって、前記係止棒を前記ダイヤル操作部に当接するように付勢するコイルバネが前記係止棒の他端部に周設されることを特徴とする郵便受け箱用ダイヤルプッシュ錠前。
【請求項３】
請求項１又は請求項２に記載の郵便受け箱用ダイヤルプッシュ錠前であって、前記係止棒の軸芯は前記前部ホルダーの軸芯に対して傾斜且つスライド自在に設けられることを特徴とする郵便受け箱用ダイヤルプッシュ錠前。
【請求項４】
請求項１乃至請求項３のいずれか１項に記載の郵便受け箱用ダイヤルプッシュ錠前であって、前記係止棒の軸断面と前記係止棒が貫通される前記前部ホルダーの前壁の貫通孔は前記係止棒の軸芯の垂直線に対して対称な（円形以外の）相似形で形成されることを特徴とする郵便受け箱用ダイヤルプッシュ錠前。
【請求項５】
請求項２乃至請求項４のいずれか１項に記載の郵便受け箱用ダイヤルプッシュ錠前であって、前記係止棒の他端部にフランジが設けられ、開錠時に、コイルバネが圧縮されて前記フランジと共に前記前部ホルダーの前壁に収納されるように前記前壁に抉り部が形成されることを特徴とする郵便受け箱用ダイヤルプッシュ錠前。
【請求項６】
請求項５に記載の郵便受け箱用ダイヤルプッシュ錠前であって、前記フランジの一部を切欠いてフランジ凹部を形成し、前記前部ホルダーの前壁の前記抉り部の周囲部の一部に前記フランジ凹部に嵌入する凸部を形成することを特徴とする郵便受け箱用ダイヤルプッシュ錠前。
【請求項７】
請求項１乃至請求項６項のいずれか１項に記載の郵便受け箱用ダイヤルプッシュ錠前であって、前記係止棒は前記押出バネの先端部を覆うリリースキャップを介して前記押出バネにより前記錠前受け部から押出されることを特徴とする郵便受け箱用ダイヤルプッシュ錠前。
【発明の詳細な説明】
【技術分野】
【０００１】
本考案は、郵便受け箱用錠前に関し、詳しくは、郵便受け箱の蓋を下向きに容易に開くことのできる郵便受け箱用ダイヤルプッシュ錠前の技術に関する。
【背景技術】
【０００２】
従来、郵便受け箱２０は図８（ａ）、（ｂ）に示すように、投入口２１ａを備える投入部２１と収納部２２とで構成され、この収納部２２が門塀２３の裏面側２３ａに向くように門塀２３の切欠部２４に埋め込まれる。前記収納部２２の後面の取出し口２６にはのぞき窓２５ｂ付きの蓋２５を備え、この蓋２５は上向きに開放するようになっている。
【０００３】
そして、一般的に郵便受け箱２０の下面が地面から略６００ｍｍから８００ｍｍの高さになる位置に取付けられている。
【０００４】
このため、蓋２５を上向きに開放するために、蓋２５の取手２５ａを把持して蓋２５を持ち上げながら体をかがませて、郵便物等の内容物を確認して取出す必要があるので、内容物の確認が困難であるとともに両手が必要になるので取出し作業が不自由であった。
【０００５】
さらに、蓋２５の閉鎖装置２７がマグネット式のため、投入部から内容物が勢いよく投函されると内容物が蓋に衝突して蓋が開いたり、内容物が取出し口から食み出たり落下することにより破れたり雨で破損したりする恐れがあった。  
このような問題を解決するための従来技術として、例えば、特許文献１の内容が開示されている。
【０００６】
図９、図１０に示すように、特許文献１の郵便受け箱用の錠前４はダイヤルラッチ式で、開閉用の蓋３に取付けられてその胴部５を郵便受け箱本体１側に延長し、郵便受け箱本体１の側方にラッチプレート６を突出させる状態で取付けられる。
【０００７】
錠前４のラッチプレート６を係止するために郵便受け箱本体１の開口２には受座７が固着されている。
【０００８】
胴部５に突設しているラッチプレート６が郵便受け箱本体１の受座７に係止することによって蓋３が開蓋しないように保持されている状態で、蓋３の手前に突設している摘まみ９を時計回りと反時計回りに回転して目盛り合わせする操作で設定された解錠位置で、ラッチプレート６が胴部５内部の横軸１２を中心に摘まみ９側に転倒可能状態となるので、摘まみ９を引くことにより蓋３を開蓋することができる。
【０００９】
摘まみ９は胴部５の前端から略円錐台形状に拡径する形状で、内部に胴部５の頭部５ａを内包し円形状の表面１０の周囲に符号合わせ文字１１が記載されている。
【００１０】
錠前４の胴部５の内部には、第一リング１３と第二リング１４が同軸に嵌合配置され、第一リング１３の後部には第一縦溝１３ａが、また第二リング１４の後部には第二縦溝１４ａが切欠形成されている。
【００１１】
ラッチプレート６は胴部５内の横軸１２に中央部分を保持され、施錠時には、第一リング１３および第二リング１４の後端がラッチプレート６の前縁１５に当接して横軸１２との間にラッチプレート６を狭着することになり、ラッチプレート６は受座７に係止した状態が維持される。
【００１２】
開錠時には、摘まみ９を一方向に回転し所定目盛りで停止すると、連動する第一リング１３も回転してその第一縦溝１３ａがラッチプレート６の前縁１５の位置に合致する。さらに、摘まみ９を他方向に回転し所定目盛りで停止すると、連動する第二リング１４も回転してその第二縦溝１４ａがラッチプレート６の前縁１５の位置に合致する。
【００１３】
このため、第一縦溝１３ａおよび第二縦溝１４ａが共にラッチプレート６の前縁１５に合致した状態で、摘まみ９を手前に引けば、ラッチプレート６の前縁１５の一端は第一縦溝１３ａおよび第二縦溝１４ａの中に嵌入することができるので、ラッチプレート６はスプリング１６に抗して横軸１２を中心として回転可能となり、ラッチプレート６は受座７から離脱するので蓋３を開蓋することができる。
【００１４】
この錠前４の構造であれば、蓋の施錠が確実にできるため投入部から内容物が勢いよく投函された際に内容物が蓋に衝突して蓋が開いて取出し口から食み出たりすることがなくなるので、内容物が落下して破れたり雨によって破損したりする恐れがなくなる。
【特許文献１】特開２００３−３４３１３６
【発明の開示】
【発明が解決しようとする課題】
【００１５】
ところが、上記錠前４では、摘まみ９を所定のコード番号に従って回動して開錠の状態にしても、錠前４がラッチプレート６に係止された状態のため蓋３が開かず、摘まみ９をさらに摘んで引出すことでラッチプレート６がスプリング１６の力に打ち勝ち、受座７を乗り越えて蓋３を開くことができる。
【００１６】
このように、錠前が開錠されても摘まみで蓋を引出すという動作、労力が必要であるという問題があった。
【００１７】
そこで、本発明はかかる従来技術の問題に鑑みなされたものであり、郵便受け箱のダイヤル式錠前を開錠する際に、摘まみを摘んで引出す労力が必要なく摘まみを指で押すだけで開錠できる郵便受け箱用ダイヤルプッシュ錠前を提供することを目的とする。
【課題を解決するための手段】
【００１８】
請求項１の発明は、錠前部と錠前受け部からなる郵便受け箱用ダイヤルプッシュ錠前であって、前記錠前部は略円柱形状の摘まみを備えるダイヤル操作部と、小径筒状の前部ホルダーと大径筒状の後部ホルダーからなるホルダーと、一端部に施錠用ピンを備える係止棒とからなり、前記後部ホルダーにダイヤル操作部をスライド自在に挿入して前記係止棒の一端部が前記前部ホルダーの前壁からスライド自在に突出して設けられ、前記錠前受け部は前記前部ホルダーを挿入するソケット部と施錠機構部とからなり、前記施錠機構部に、開錠時に前記係止棒を前記錠前受け部から押出す押出バネと、施錠時に前記係止棒を前記施錠用ピンを介して施錠するロックカムが配置され、前記ロックカムの一端部に前記施錠用ピンと係合するフックを備えるとともに他端部に前記ロックカムの回転用の回転軸を備え、前記ロックカムは前記回転軸の周りに設けられるロックバネにより前記フックが前記施錠用ピンを施錠する方向に回転付勢され、前記フックの前記施錠用ピンと係合する領域部にこの領域部から前記回転軸方向に立上がる斜板を備え、開錠時に前記ダイヤル操作部を押込み前記施錠用ピンが前記回転軸方向に移動すると前記施錠用ピンが前記ロックバネの回転付勢より前記斜板の下面に廻り込み、前記押出バネによって前記施錠用ピンが前記斜板を乗越えて押出されて開錠されることを特徴としている。
【００１９】
請求項２の発明は、請求項１に記載の郵便受け箱用ダイヤルプッシュ錠前であって、前記係止棒を前記ダイヤル操作部に当接するように付勢するコイルバネが前記係止棒の他端部に周設されることを特徴としている。
【００２０】
請求項３の発明は、請求項１又は請求項２に記載の郵便受け箱用ダイヤルプッシュ錠前であって、前記係止棒の軸芯は前記前部ホルダーの軸芯に対して傾斜且つスライド自在に設けられることを特徴としている。
【００２１】
請求項４の発明は、請求項１乃至請求項３のいずれか１項に記載の郵便受け箱用ダイヤルプッシュ錠前であって、前記係止棒の軸断面と前記係止棒が貫通される前記前部ホルダーの前壁の貫通孔は前記係止棒の軸芯の垂直線に対して対称な（円形以外の）相似形で形成されることを特徴としている。
【００２２】
請求項５の発明は、請求項２乃至請求項４のいずれか１項に記載の郵便受け箱用ダイヤルプッシュ錠前であって、前記係止棒の他端部にフランジが設けられ、開錠時に、コイルバネが圧縮されて前記フランジと共に前記前部ホルダーの前壁に収納されるように前記前壁に抉り部が形成されることを特徴としている。
【００２３】
請求項６の発明は、請求項５に記載の郵便受け箱用ダイヤルプッシュ錠前であって、前記フランジの一部を切欠いてフランジ凹部を形成し、前記前部ホルダーの前壁の前記抉り部の周囲部の一部に前記フランジ凹部に嵌入する凸部を形成することを特徴としている。
【００２４】
請求項７の発明は、請求項１乃至請求項６項のいずれか１項に記載の郵便受け箱用ダイヤルプッシュ錠前であって、前記係止棒は前記押出バネの先端部を覆うリリースキャップを介して前記押出バネにより前記錠前受け部から押出されることを特徴としている。
【発明の効果】
【００２５】
請求項１記載の発明によれば、前記ロックカムの一端部に前記施錠用ピンと係合するフックを備えるとともに他端部に前記ロックカムの回転用の回転軸を備え、前記ロックカムは前記回転軸の周りに設けられるロックバネにより前記フックが前記施錠用ピンを施錠する方向に回転付勢されている。
【００２６】
このため、施錠時には施錠用ピンからフックが外れないので確実に施錠することができる。
【００２７】
前記フックの前記施錠用ピンと係合する領域部にこの領域部から前記回転軸方向に立上がる斜板を備えているので、開錠時に前記ダイヤル操作部を押込みことにより前記施錠用ピンが前記回転軸方向に移動すると、前記施錠用ピンが前記ロックバネの回転付勢より前記斜板の下面に廻り込み、前記押出バネによって前記施錠用ピンが前記斜板を乗越えて押出されて開錠することができる。
【００２８】
このように、開錠時には前記ダイヤル操作部を押込むだけで、前記押出バネの力に押されて、前記施錠用ピンが斜板に当接して滑りながら前記フックから容易に離脱することができる。
【００２９】
このため、このダイヤル式錠前を郵便受け箱に取付けると摘まみを摘んで引出す労力が必要なく摘まみを指で押すだけで容易に開錠することができる。
【００３０】
請求項２記載の発明によれば、前記係止棒を前記ダイヤル操作部に当接するように付勢するコイルバネが前記係止棒の他端部に周設されるので、開錠時に前記施錠用ピンが前記斜板の下面に廻り込み、前記押出バネによって前記施錠用ピンが前記斜板を乗越えて押出される際に、前記係止棒は前記斜板によって垂直方向に傾くが、前記係止棒の他端部が前記コイルバネによって前記ダイヤル操作部に対して角度を変えながらも常時当接しているので、確実に安定して錠前部と連動して開錠することができる。
【００３１】
請求項３記載の発明によれば、前記係止棒の軸芯は前記前部ホルダーの軸芯に対して傾斜且つスライド自在に設けられるので、開錠時に前記施錠用ピンが前記斜板の下面にスムーズに廻り込むことができる。
【００３２】
このため、前記押出バネによって前記施錠用ピンが前記斜板を乗越えて押出される際に、前記係止棒が角度を変えながら常時前記斜板に当接するので、確実に安定して開錠することができる。
【００３３】
請求項４記載の発明によれば、前記係止棒の軸断面と前記係止棒が貫通される前記前部ホルダーの前壁の貫通孔は前記係止棒の軸芯の垂直線に対して対称な（円形以外の）相似形で形成されるので、前記係止棒の軸芯が前記前部ホルダーの軸芯に対して軸周りの回転を規制されながらスライドすることができる。
【００３４】
このため、前記係止棒は確実に垂直面内で傾斜しながら軸方向にスライドすることができる。
【００３５】
請求項５の発明によれば、前記係止棒の他端部にフランジが設けられ、開錠時に、コイルバネが圧縮されて前記フランジと共に前記前部ホルダーの前壁に形成される抉り部内に収納されるので、前記係止棒を前壁に対して確実且つ容易に垂直に突出することができる。
【００３６】
このため、開錠時に前記施錠用ピンが前記斜板の下面に廻り込み、前記押出バネによって前記施錠用ピンが前記斜板に当接しながら押出される際の初期の位置決めが確実にできる。
【００３７】
請求項６の発明は、前記フランジの一部を切欠いて形成されるフランジ凹部と、前記前部ホルダーの前壁の前記抉り部の周囲部の一部に設けられる凸部が、開錠時に嵌入することにより、前記フランジが前記抉り部内の収納位置に容易に誘導されるので、請求項５の発明の効果と同じ効果が得られる。
【００３８】
請求項７の発明は、前記係止棒は前記押出バネの先端部を覆うリリースキャップを介して前記押出バネにより前記錠前受け部から押出されるので、前記押出バネのバネ力を確実に前記係止棒に伝えることができる。
【発明を実施するための最良の形態】
【００３９】
＜本発明の実施形態＞
以下に、本発明の実施形態を図１〜図７に基づいて説明する。
【００４０】
＜郵便受け箱用ダイヤルプッシュ錠前の構成＞
図１（ａ）、（ｂ）、図２に示すように、本発明の実施形態における郵便受け箱用ダイヤルプッシュ錠前４０は、錠前部４１と錠前受け部４２とからなる。
【００４１】
錠前部４１は略円柱形状の摘まみ４３を備えるダイヤル操作部４４と、小径筒状の前部ホルダー４５ａと大径筒状の後部ホルダー４５ｂからなるホルダー４５と、一端部４７ａに施錠用ピン４６を備える係止棒４７とから構成される。
【００４２】
そして、後部ホルダー４５ｂにダイヤル操作部４４をスライド自在に挿入し、係止棒４７の一端部４７ａが前部ホルダー４５ａの前壁４５ｃからスライド自在に突出して設けられる。
【００４３】
錠前受け部４２は前部ホルダー４５ａを挿入するソケット部５０と施錠機構部５１とから構成される。
【００４４】
ここで、係止棒４７の他端部４７ｂにフランジ４７ｃが設けられ、フランジ４７ｃは係止棒４７に周設するコイルバネ４７ｄによって付勢されてダイヤル操作部４４の内筒４４ａに常時押付けられて当接している。
【００４５】
そして、施錠機構部５１に、開錠時に係止棒４７を錠前受け部４２から押出す押出バネ５６と、施錠時に係止棒４７を施錠用ピン４６を介して施錠するロックカム５３が配置されている。
【００４６】
ロックカム５３の一端部５３ａには施錠用ピン４６と係合するフック５４を備えるとともに他端部５３ｂにロックカム５３の回転用の回転軸５２を備え、ロックカム５３は回転軸５２の周りに設けられるロックバネ５５によりフック５４が施錠用ピン４６を施錠する方向に回転付勢されている。
【００４７】
さらに、フック５４の施錠用ピン４６と係合する領域５４ａにこの領域５４ａから回転軸５２方向に立上がる斜板５４ｂを備えている。
【００４８】
また、摘まみ４３の表面４３ａに表示されている０から９迄の１０個の数字を、摘まみ４３を所定の方向に数回回転させて開錠位置に合わせた状態で摘まみ４３が前進（施錠機構部５１側）できるように、摘まみ４３とホルダー４５は軸４８方向に開錠のための施錠解除作動代Ｑが設けられる。
【００４９】
開錠の状態で、ダイヤル操作部４３を押込んで施錠用ピン４６が回転軸５２方向に移動すると施錠用ピン４６がロックバネ５５の回転付勢によって斜板５４ｂの裏面５４ｃに廻り込み、押出バネ５６の力によって施錠用ピン４６が斜板５４ｂを乗越えて押出されることによって開錠される。
【００５０】
なお、押出バネ５６が係止棒４７の一端部４７ａに確実に当接して係止棒４７がスムーズに移動できるように押出バネ５６の先端部には円筒形のリリースキャップ５７が備えられている。
【００５１】
図３に示すように、係止棒４７のフランジ４７ｃの一部が切欠かれてフランジ凹部４７ｅが形成される。前部ホルダー４５ａの前壁４５ｃには抉り部４５ｄと孔４５ｆとが形成されるとともに抉り部４５ｄの周囲の一部に略直方体形状の凸部４５ｅが設けられる。さらに、孔４５ｆの周囲の抉り部４５ｄ側には座繰りＲが形成される。
【００５２】
そして、開錠時にフランジ凹部４７ｅと凸部４５ｅがガタなく嵌入することによりフランジ４７ｃが圧縮されたコイルバネ４７ｄとともに抉り部４５ｄ内に誘導されて収納できる。
【００５３】
このとき、ダイヤル操作部４４の内筒４４ａに形成された凹溝４４ｂも凸部４５ｅにガタなく嵌入するとともに、内筒４４ａが前部ホルダー４５ａの前壁４５ｃに当接する。
【００５４】
係止棒４７と係止棒４７が貫通される前部ホルダー４５ａの前壁４５ｃの孔４５ｆとは、互いに若干の隙間を保持するとともに軸周りの回転を実質的に規制するために、垂直線に対して対称な円形以外の相似形で例えばＵ字形状になっている。より詳しくは、互いの若干の隙間を無視すれば、係止棒４７と孔４５ｆは殆ど合同形状である。
【００５５】
＜郵便受け箱用ダイヤルプッシュ錠前の作用＞
図４（ａ）に示すように、上記のように「摘まみ４３を所定の方向に回転させて開錠位置に合わせた状態」では、ロックカム５３の回転用の回転軸５２の周りに設けられるロックバネ５５によりフック５４は施錠用ピン４６を施錠する方向Ｙ２に回転付勢されている。
【００５６】
このため、施錠用ピン４６がフック５４から外れることはない。
【００５７】
この状態から、さらに、上記、錠前部４１の摘まみ４３の表面４３ａを指で押し込む（プッシュする）ことで、施錠用ピン４６を備える係止棒４７が矢印Ｙ１の方向に移動する。
【００５８】
図４（ｂ）に示すように、上記のように、摘まみ４３とホルダー４５が軸４８方向に開錠のための施錠解除作動代Ｑだけ移動すると、施錠用ピン４６が係止棒４７の移動によってフック５４から施錠解除作動代Ｑだけ離れる。
【００５９】
この間に、施錠用ピン４６はロックバネ５５により斜板５４ｂに押付けられながら移動し、施錠解除作動代Ｑ移動した時点で、施錠用ピン４６が斜板５４ｂから離れる位置になるため、フック５４はロックバネ５５によりＹ３の方向に移動し、施錠用ピン４６の先端部４６ａが斜板５４ｂの裏面５４ｃに潜り込む。
【００６０】
ここで、上記のように、係止棒４７と係止棒４７が貫通される前部ホルダー４５ａの前壁４５ｃの孔４５ｆとは、互いに若干の隙間を保持するとともに軸周りの回転を実質的に規制するために、垂直線に対して対称な円形以外の相似形で例えばＵ字形状になっている。さらに、抉り部４５ｄの周囲の一部に略直方体形状の凸部４５ｅが設けられ、孔４５ｆの周囲の抉り部４５ｄ側には座繰りＲが形成される。
【００６１】
このため、開錠時にフランジ凹部４７ｅと凸部４５ｅがガタなく嵌入できて、係止棒４７が前部ホルダー４５ａに対して垂直面内で傾斜しながらスライドすることができる。
【００６２】
図５（ａ）に示すように、係止棒４７が施錠解除作動代Ｑ移動した分だけ、上記の押出バネ５６が蓄圧されるので、押出バネ５６がリリースキャップ５７を介して係止棒４７の一端部４７ａをＹ４方向に押出す。
【００６３】
このとき、上記のように施錠用ピン４６はロックバネ５５により施錠用ピン４６を施錠する方向Ｙ２に回転付勢されているので、施錠用ピン４６の先端部４６ａが斜板５４ｂから離れることなく裏面５４ｃを摺りながら確実に移動することができる。
【００６４】
図５（ｂ）に示すように、施錠用ピン４６の先端部４６ａが斜板５４ｂの裏面５４ｃを摺りながら移動する間は、施錠用ピン４６が斜板５４ｂによって押し下げられるので、係止棒４７は矢印Ｙ５の方向に回転傾斜しながらＹ４方向にスライドする。
【００６５】
このとき、上記のように、係止棒４７と係止棒４７が貫通される前部ホルダー４５ａの前壁４５ｃの孔４５ｆとは、互いに若干の隙間を保持するとともに軸周りの回転を実質的に規制するために、垂直線に対して対称な円形以外の相似形で例えばＵ字形状になっているので、係止棒４７が前部ホルダー４５ａに対して垂直面内で傾斜しながらスライドすることができる。
【００６６】
図５（ｃ）に示すように、最終的に、施錠用ピン４６がロックカム５３のフック５４から離反する。このとき、施錠用ピン４６が斜板５４ｂとフック５４から開放されるので、係止棒４７は矢印Ｙ６の方向に復元して傾斜しない状態に戻る。
【００６７】
上記のように押出バネ５６がリリースキャップ５７を介して係止棒４７を押出すのは瞬間的で、錠前部４１は錠前受け部４２から容易に離脱することができる。
【００６８】
なお、再度施錠する場合は、係止棒４７の施錠用ピン４６をフック５４に当接しながら押し込むことにより、フック５４がロックバネ５５の力に打ち勝って回転し、最終的に係止棒４７がフック５４を乗越えてフック５４に係止することができる。
【００６９】
「郵便受け箱の構造」
図６、図７に示すように、受入れ口３２と取出し口３３を備える郵便受け箱本体３４が門塀３５に郵便受け箱３１が埋込まれる。
【００７０】
そして、取出し口３３に錠前部４１と錠前受け部４２からなる郵便受け箱用ダイヤルプッシュ錠前４０が設けられ、錠前部４１は回転式の蓋３８の上部３８ａに、錠前受け部４２は郵便受け箱本体３４の頂壁近傍３４ａに設けられる。蓋３８の開閉に連動して錠前部４１と錠前受け部４２は互いが離反、結合することで開錠、施錠される。
【００７１】
郵便受け箱本体３４は直方体形状の収納部３６と、この収納部３６の前壁３６ａの上部を貫通して収納部３６の両側壁３６ｂと頂壁３６ｃを共有して前方に突出する直方体形状の投入部３７とで構成される。そして、郵便受け箱本体３４の投入部３７の前端３７ａに受入れ口３２を備える口金部３９を形成し、収納部３６の後壁３６ｄに取出し口３３とのぞき窓３８ｃを備える蓋３８が形成される。
【００７２】
蓋３８はその下部（ピン部）３８ｂを中心にして開閉され、郵便受け箱本体３４に蓋３８が開く際の衝撃を緩和する緩衝装置４９が設けられる。緩衝装置４９は例えば空圧式バンパーとしてのシリンダーロッド４９ａとシリンダー４９ｂである。
【００７３】
下部（ピン部）３８ｂには回転体４４ｃを備え、蓋３８の回転に同調して回転するピン部３８ｂと共に回転する。
【００７４】
蓋３８が矢印のように下方に回転する際に、この回転体４４ｃがシリンダーロッド４９ａに当接して徐々にシリンダーロッド４９ａを持ち上げることにより、シリンダーロッド４９ａの突出長さが最大Ｑ１からＱ２に変化する。
【００７５】
そして、このシリンダーロッド４９ａの変化量に応じてシリンダー４９ｂ内の蓄圧力が増加するので緩衝装置４９によって蓋３８が制御されながら穏やかに回転することができる。
【００７６】
このため、「摘まみ４３を所定の方向に数回回転させて開錠位置」に合わせた状態で、摘まみ４３の表面４３ａを指で押し込む（プッシュする）動作だけで、蓋３８はその下部（ピン部）４２を中心にして自重により矢印の方向に自動的に開くことができる。
【００７７】
このように、ダイヤル式の錠前を開錠する際に指で蓋を引出す労力を必要とせず指で押す（プッシュする）だけで蓋３８を自動的にスムーズに開くことができる。
【００７８】
確実に蓋３８の施錠ができるため投入部から内容物が勢いよく投函された際に内容物が蓋に衝突して蓋が開いて取出し口から食み出たりすることがなくなるので、内容物が落下して破れたり雨によって破損したりする恐れがなくなる。
【００７９】
以上、本発明の実施形態を図面に基づいて説明したが、上記の実施例はいずれも本発明の一例を示したものであり、本発明はこれらに限定されるべきでないということは言うまでもない。たとえば、コイルバネ４７ｄの代わりに、弾性ゴム等を使用することもできる。
【図面の簡単な説明】
【００８０】
【図１】本発明の実施形態における、（ａ）は郵便受け箱用ダイヤルプッシュ錠前４０の施錠状態を示す側面断面図、（ｂ）は図１（ａ）におけるＣ−Ｃ含一部透視矢視図である。
【図２】本発明の実施形態における、郵便受け箱用ダイヤルプッシュ錠前４０の錠前部４１の正面図と左右側面図である。
【図３】本発明の実施形態における、前部ホルダー４５ａの前壁４５ｃと、係止棒４７と、ダイヤル操作部４４の内筒４４ａとの組付斜視図である。
【図４】本発明の実施形態における、ロックカム５３と、係止棒４７の施錠用ピン４６との関係を示す斜視図で、（ａ）は施錠状態、（ｂ）は開錠時に係止棒４７を押込んだ状態である。
【図５】本発明の実施形態における、ロックカム５３と、係止棒４７の施錠用ピン４６との関係を示す斜視図で、（ａ）は図４（ａ）の状態から係止棒４７が斜板５４ｂに沿って押出される状態、（ｂ）は係止棒４７の施錠用ピン４６  がフック５４から離脱する直前の状態、（ｃ）はロックカム５３から係止棒４７が離脱した状態である。
【図６】本発明の実施形態における、埋込式の郵便受け箱３１に取付けられた郵便受け箱用ダイヤルプッシュ錠前４０の施錠状態を示す側面透視図である。
【図７】本発明の実施形態における、埋込式の郵便受け箱３１の郵便受け箱用ダイヤルプッシュ錠前４０の解錠状態を示す側面透視図である。
【図８】従来例における、（ａ）は郵便受け箱から内容物を確認及び取出す状態を示す斜視図、（ｂ）は図８（ａ）におけるＥ−Ｅ矢視図である。
【図９】従来例における、郵便受け箱用錠前の施錠時の断面図である。
【図１０】従来例における、郵便受け箱用錠前の解錠時の断面図である。
【符号の説明】
【００８１】
４０  郵便受け箱用ダイヤルプッシュ錠前
４１  錠前部
４２  錠前受け部
４３  摘まみ
４４  ダイヤル操作部
４４ａ  内筒
４５  ホルダー
４５ａ  前部ホルダー
４５ｂ  後部ホルダー
４５ｃ  前壁
４６  施錠用ピン
４７  係止棒
４７ａ  一端部
４７ｂ  他端部
４７ｃ  フランジ
４７ｄ  コイルバネ
５０  ソケット部
５１  施錠機構部
５２  回転軸
５３  ロックカム
５３ａ  一端部
５３ｂ  他端部
５４  フック
５４ａ  領域
５４ｂ  斜板
５５  ロックバネ
５６  押出バネ
【図１】
2007032261.tif 000003
【図２】
2007032261.tif 000004
【図３】
2007032261.tif 000005
【図４】
2007032261.tif 000006
【図５】
2007032261.tif 000007
【図６】
2007032261.tif 000008
【図７】
2007032261.tif 000009
【図８】
2007032261.tif 000010
【図９】
2007032261.tif 000011
【図１０】
2007032261.tif 000012